(57)【要約】【課題】建設工事現場において仮設構造物等を支持するための仮設支柱を設置するにあたり、公道に対する敷地内の境界部に近接させて当該仮設支柱を簡単に設置可能な技術を提供する。【解決手段】地盤Ｇに山留杭１を構築する山留杭構築工事において、仮設支柱７の設置箇所に山留杭１を構築するにあたり、当該山留杭１に対して芯材２を頭部が地上に突出する状態で建て込み、当該地上に突出した芯材２の頭部を仮設支柱７とする。【選択図】図２
2019044361.tif 000002
【特許請求の範囲】
【請求項１】
建設工事用の仮設支柱の設置方法であって、
地盤に山留杭を構築する山留杭構築工事において、前記仮設支柱の設置箇所に山留杭を構築するにあたり、当該山留杭に対して芯材を頭部が地上に突出する状態で建て込み、
当該地上に突出した芯材の頭部を前記仮設支柱とする仮設支柱の設置方法。
【請求項２】
前記山留杭構築工事において、山留壁を構成する山留壁用山留杭とは別に前記仮設支柱の設置箇所に支柱設置用山留杭を構築すると共に、前記支柱設置用山留杭を構築するにあたり、当該支柱設置用山留杭に対して、前記山留壁用山留杭に建て込まれるものと共通の山留芯材を高止まり状態で挿入して、当該山留芯材の頭部を地上に突出させ、
当該地上に突出した山留芯材の頭部を前記仮設支柱とする請求項１に記載の仮設支柱の設置方法。
【請求項３】
前記仮設支柱に、前記建設工事現場のパネルゲートを固定する請求項１又は２に記載の仮設支柱の設置方法。
【発明の詳細な説明】
【技術分野】
【０００１】
本発明は、建設工事用の仮設支柱の設置方法に関する。
【背景技術】
【０００２】
建設工事現場では、公道等に対する敷地内の境界部付近には、パネルゲートや仮囲い等の仮設構造物が設置される。そして、このような仮設構造物等を支持する仮設支柱は、従来、専用の仮設コンクリート基礎を地盤に構築し、その仮設コンクリート基礎に埋め込まれたアンカーボルト等により固定されていた（例えば特許文献１を参照。）。
【先行技術文献】
【特許文献】
【０００３】
【特許文献１】特開２００２−３５６８５５号公報
【発明の概要】
【発明が解決しようとする課題】
【０００４】
建設工事現場において、仮設支柱を固定するための仮設コンクリート基礎を構築するための地盤掘削工事やアンカーボルトの設置工事等は、工事業者の相違や工事箇所の干渉等により作業が煩雑になるという問題があった。
【０００５】
また、仮設支柱を固定するための仮設コンクリート基礎は、その構築工事を簡略化するために、比較的浅く地盤を掘削して構築されることがある。この場合、比較的大きな水平力が付加される仮設支柱を安定して固定するためには、仮設コンクリート基礎の水平方向の設置面積が、比較的大きなものとなる。すると、このような仮設コンクリート基礎を敷地内の境界部に沿わせて構築した場合であっても、その略中央部に固定される仮設支柱については、当該境界部から離れた箇所に設置されることになり、仮設支柱を境界部に近接させて設置することは困難となる。
【０００６】
この実情に鑑み、本発明の主たる課題は、建設工事現場において仮設構造物等を支持するための仮設支柱を設置するにあたり、公道に対する敷地内の境界部に近接させて当該仮設支柱を簡単に設置可能な技術を提供する点にある。
【課題を解決するための手段】
【０００７】
本発明の第１特徴構成は、建設工事用の仮設支柱の設置方法であって、
地盤に山留杭を構築する山留杭構築工事において、前記仮設支柱の設置箇所に山留杭を構築するにあたり、当該山留杭に対して芯材を頭部が地上に突出する状態で建て込み、
当該地上に突出した芯材の頭部を前記仮設支柱とする点にある。
【０００８】
本構成によれば、山留杭構築工事において、構築される山留杭に建て込まれる芯材の頭部を地上に突出させ、その芯材の頭部を仮設支柱として利用することができる。従って、仮設構造物専用の仮設コンクリート基礎を構築するための地盤掘削工事やアンカーボルトの設置工事を省略することができ、山留杭構築工事を実施する工事業者が当該山留杭構築工事と同じタイミングで簡単に仮設支柱を設置して、その仮設支柱に建設工事用の仮設構造物等を固定することができる。
また、山留杭は、上述した仮設コンクリート基礎と比べて、地中深くまで埋設されていることで安定しており、水平方向の設置面積が小さいものとなる。よって、公道等に対する建設工事の敷地内の境界部に沿わせて山留杭を構築すれば、その山留杭に芯材として建て込まれる仮設支柱を当該境界部に近接させて設置することができる。
従って、本発明により、建設工事現場において仮設構造物等を支持するための仮設支柱を設置するにあたり、公道に対する敷地内の境界部に近接させて当該仮設支柱を簡単に設置可能な仮設支柱の設置方法を提供することができる。
【０００９】
本発明の第２特徴構成は、前記山留杭構築工事において、山留壁を構成する山留壁用山留杭とは別に前記仮設支柱の設置箇所に支柱設置用山留杭を構築すると共に、前記支柱設置用山留杭を構築するにあたり、当該支柱設置用山留杭に対して、前記山留壁用山留杭に建て込まれるものと共通の山留芯材を高止まり状態で挿入して、当該山留芯材の頭部を地上に突出させ、
当該地上に突出した山留芯材の頭部を前記仮設支柱とする点にある。
【００１０】
本構成によれば、山留杭構築工事を実施する工事業者が当該山留杭構築工事と同じタイミングで山留壁用山留杭とは別に支柱設置用山留杭を構築することができるので、仮設支柱の設置箇所の自由度を向上することができる。更に、支柱設置用山留杭に建て込む山留芯材として、山留壁用山留杭に建て込むものと同じものを利用して、材料の準備労力やコストを低減することができる。そして、その山留芯材を支柱設置用山留杭に高止まり状態で挿入すれば、仮設支柱を固定するための山留芯材の頭部を地上に突出させ、その突出した山留芯材の頭部を仮設支柱として利用することができる。
【００１１】
本発明の第３特徴構成は、前記仮設支柱に、前記建設工事現場のパネルゲートを固定する点にある。
【００１２】
本構成によれば、建設工事の敷地内の境界部に非常に近接したパネルゲートの設置箇所において、その箇所に構築した山留杭に建て込まれた芯材を利用してパネルゲートを容易に固定することができる。
【図面の簡単な説明】
【００１３】
【図１】仮設支柱に支持されるパネルゲートの設置状態を示す平面図
【図２】仮設支柱に支持されるパネルゲートの設置状態を示す正面図
【図３】別実施形態における仮設支柱に支持されるパネルゲートの設置状態を示す平面図
【図４】別実施形態における仮設支柱に支持されるパネルゲートの設置状態を示す正面図
【発明を実施するための形態】
【００１４】
本発明の実施形態について図面に基づいて説明する。
図１及び図２に示すように、建設工事現場では、パネルゲート１０や仮囲い２０などの建設工事用の仮設構造物（以下「パネルゲート１０等」と呼ぶ場合がある。）が、例えば建設工事の敷地内ＣＳを取り囲む境界部ＢＬに近接した箇所に設置される。このような、パネルゲート１０や仮囲い２０は、地盤Ｇに対して安定して固定された仮設支柱７に対して適当な接続金物１５，２５を介して固定されて、当該仮設支柱７により支持されている。
【００１５】
尚、パネルゲート１０は、公知のものであるため詳細な説明は割愛するが、公道ＰＲから敷地内ＣＳへの車輌等の入退場部の門扉として設けられており、両側に設けられた一対の支持柱１１とその上端部間に架設された支持梁１２とからなる門形の枠体と、当該枠体内に設けられ、支持梁１２に対して左右方向にスライド可能且つ折り畳み可能に吊下げられたアコーディオン式扉部材１３等で構成されている。そして、このアコーディオン式扉部材１３を折り畳みながら左右にスライドさせることで、上記入退場部が開閉される。
また、仮囲い２０は、公知のものであるため詳細な説明は割愛するが、建設工事現場の敷地内ＣＳを取り囲う塀として設けられており、複数のパネルを縦列させて連結して構成されている。
【００１６】
そして、本実施形態の設置方法は、このようなパネルゲート１０等を支持するための仮設支柱７を設置する方法であり、その詳細について以下に説明する。
【００１７】
建設工事現場において、建設工事の初期段階で、地盤Ｇに山留杭１を構築する山留杭構築工事が実施される。
この山留杭１は、地盤Ｇの掘削孔内にソイルセメントを充填すると共に、当該ソイルセメントにＨ形鋼等からなる山留芯材２を所定深さまで挿入して、掘削孔に山留芯材２を建て込み、当該ソイルセメントが固化することで構築される。
このような山留杭構築工事では、上記のように構築される複数の山留壁用山留杭１Ａを隣接間でオーバーラップさせた状態で連続する柱列状に配置して、山留壁５が構築されている。尚、図示は省略するが、このような山留杭１を格子状に配置して、軟弱な地盤Ｇを改良する地盤改良体を構築することもできる。
【００１８】
更に、この山留杭構築工事において、上記山留壁用山留杭１Ａとは別に、境界部ＢＬに近接した仮設支柱７の設置箇所に、上記山留壁用山留杭１Ａとは別の支柱設置用山留杭１Ｂが構築される。
この支柱設置用山留杭１Ｂは、上記山留壁用山留杭１Ａの構築と同じタイミングにおいて、上記山留壁用山留杭１Ａと同じ深さ及び大きさの掘削孔を地盤Ｇに設け、その掘削孔内に充填したソイルセメントに、上記山留壁用山留杭１Ａと同じ山留芯材２を所定深さまで挿入して掘削孔に山留芯材２を建て込み、当該ソイルセメントが固化することで構築される。
更に、この支柱設置用山留杭１Ｂを構築するにあたっては、山留芯材２が、その頭部が地上に突出する状態で建て込まれる。具体的に、上記山留壁用山留杭１Ａに建て込まれる山留芯材２と共通のものを利用し、当該山留芯材２を高止まり状態で支柱設置用山留杭１Ｂの掘削孔に挿入することで、当該山留芯材２の頭部が地上に突出される。このように、山留壁用山留杭１Ａと支柱設置用山留杭１Ｂとは、同じタイミングにおいて同じ材料を用いて、山留芯材２の挿入深さのみが異なる略同じ作業で簡単に構築することができる。
尚、本実施形態では、５ｍのＨ形鋼が山留芯材２として利用されており、山留壁用山留杭１Ａの構築時には、その山留芯材２全体が掘削孔に挿入されるが、支柱設置用山留杭１Ｂの構築時には、その山留芯材２の下部２ｍ分が掘削孔に挿入され、上部３ｍ分が地上に突出される。
また、支柱設置用山留杭１Ｂの掘削孔は、山留壁用山留杭１Ａの掘削孔と同じ深さのものでも構わないが、本実施形態では、支柱設置用山留杭１Ｂにおいて山留芯材２を高止まり状態で掘削孔に挿入することから、支柱設置用山留杭１Ｂの掘削孔を、山留壁用山留杭１Ａの掘削孔よりも浅く形成することで、作業効率の向上が図られている。
【００１９】
そして、支柱設置用山留杭１Ｂにおいて地上に突出した山留芯材２の頭部が、パネルゲート１０や仮囲い２０などのパネルゲート１０等を支持するための仮設支柱７として機能することになる。従って、この建設工事現場では、仮設構造物専用の仮設コンクリート基礎を構築するための地盤掘削工事やアンカーボルトの設置工事が省略されることになり、上述した山留杭構築工事を実施するのみで、建設工事用のパネルゲート１０等を支持するための仮設支柱７を設置することができる。
【００２０】
また、支柱設置用山留杭１Ｂとして構築された山留杭１は、地中深くまで埋設されていることから安定しており、水平方向の設置面積が上記仮設コンクリート基礎と比べて小さいものとなる。更に、支柱設置用山留杭１Ｂでは、仮設支柱７として利用される山留芯材２が掘削孔の中心位置よりも境界部ＢＬ側の位置に挿入されている。よって、このような支柱設置用山留杭１Ｂを、公道等に対する建設工事の敷地内ＣＳの境界部ＢＬに沿わせて構築することで、その山留杭１Ｂに芯材２として建て込まれる仮設支柱７を、当該境界部ＢＬに非常に近接した箇所に設置することができる。
特に、建設工事の敷地内ＣＳの境界部ＢＬに非常に近接したパネルゲート１０の設置箇所において、その箇所に構築した支柱設置用山留杭１Ｂに建て込まれた山留芯材２を利用してパネルゲート１０を容易に固定することができる。
【００２１】
〔別実施形態〕
（１）上記実施形態では、複数の山留壁用山留杭１Ａを隣接間でオーバーラップさせた状態で連続する柱列状に配置する形態で、山留壁５をソイル柱列壁として構成したが、図３に示すように、所定間隔で親杭である山留壁用山留杭１Ａを構築し、互いに隣接する山留壁用山留杭１Ａの山留芯材２の間に横矢板４を亘らせる形態で、山留壁５を親杭横矢板壁として構成しても構わない。
【００２２】
（２）上記実施形態では、支柱設置用山留杭１Ｂの構築時において、仮設支柱７として利用する山留芯材２の頭部を地上に突出させるために、当該山留杭１Ｂに対して山留芯材２を高止まり状態で挿入したが、例えば、図４に示すように、山留壁用山留杭１Ａで利用したものよりも長い山留芯材２を支柱設置用山留杭１Ｂに高止まりさせずに挿入して、当該山留芯材２の頭部を地上に突出させても構わない。
【００２３】
（３）上記実施形態では、支柱設置用山留杭１Ｂに挿入された山留芯材２の地上突出部を、仮設支柱７として利用したが、当該山留芯材２とは別に支柱設置用山留杭１Ｂに挿入された芯材の地上突出部を、仮設支柱７として利用しても構わない。また、支柱設置用山留杭１Ｂにおいて仮設支柱７として利用される芯材は、山留壁用山留杭１Ａにおいて利用される芯材と別のものであっても構わない。
【００２４】
（４）上記実施形態では、山留杭１の芯材で構成した仮設支柱７によりパネルゲート１０や仮囲い２０を支持するように構成したが、当該仮設支柱７の支持対象は建設工事現場に設置される構造物であればよく、例えば、仮設事務所、仮設エレベータ、斜面時の高床に対応する簡易基礎柱等を支持するように構成しても構わない。
【００２５】
（５）上記実施形態では、山留壁として機能する複数の山留壁用山留杭１Ａとは別に支柱設置用山留杭１Ｂを構築し、当該支柱設置用山留杭１Ｂに挿入した芯材を仮設支柱７として利用したが、複数の山留壁用山留杭１Ａの一部に挿入した芯材を仮設支柱として利用するように構成しても構わない。
【符号の説明】
【００２６】
１    山留杭
１Ａ  山留壁用山留杭
１Ｂ  支柱設置用山留杭
１Ｂ  山留杭
２    山留芯材
５    山留壁
７    仮設支柱
１０  パネルゲート
ＢＬ  境界部
ＣＳ  敷地内
Ｇ    地盤
【図１】
2019044361.tif 000003
【図２】
2019044361.tif 000004
【図３】
2019044361.tif 000005
【図４】
2019044361.tif 000006